【手続補正書】
【提出日】平成27年10月20日(2015.10.20)
【手続補正１】
【補正対象書類名】特許請求の範囲
【補正対象項目名】全文
【補正方法】変更
【補正の内容】
【特許請求の範囲】
【請求項１】
双極性電気外科手術用器具であって、
筐体と、
前記筐体から延びている細長いシャフトであって、前記細長いシャフトは、前記細長いシャフトの遠位端に連結されたエンドエフェクタを有する、細長いシャフトと、
前記筐体に動作可能に連結されているハンドルアセンブリであって、前記ハンドルアセンブリは、固定ハンドルに対して移動可能な可動ハンドルを含み、前記可動ハンドルは、ジョー部材が互に対して離間関係に配置されている第１の位置から、前記ジョー部材が前記ジョー部材の間に組織を把持するように協働する第２の位置に、互に対して前記ジョー部材の移動をもたらし、各ジョー部材は、電気外科手術用エネルギー源に接続するように構成され、前記ジョー部材は、前記ジョー部材の間に保持されている組織を通してエネルギーを選択的に伝導し、組織封止をもたらすように構成されている、ハンドルアセンブリと、
前記固定ハンドル上に配置されているスイッチであって、前記スイッチは、前記可動ハンドル上に配置されているスイッチ係合表面との付勢係合に応じて、第１の位置と少なくとも１つの後続位置との間に押下されるように構成され、前記スイッチの第１の位置は、前記ジョー部材間に把持されている組織にかかる所望の圧力に対応する情報のユーザへの中継を生じさせ、前記少なくとも１つの後続位置は、電気外科手術用エネルギーを前記ジョー部材に供給する前記電気外科手術用エネルギー源を起動させるように構成されている、スイッチと
を備えている、双極性電気外科手術用器具。
【請求項２】
前記ジョー部材のうちの少なくとも１つの長さに沿って画定されているナイフチャネルと、
前記ナイフチャネルに沿って往復運動し、前記ジョー部材間に把持されている組織を切断するように構成されている切断機構と
をさらに備えている、請求項１に記載の双極性電気外科手術用器具。
【請求項３】
前記切断機構が前記ジョー部材間に把持されている組織の近位に配置されている第１の位置から、前記切断機構が前記ジョー部材間に把持されている組織の遠位に配置されている少なくとも１つの後続位置に前記切断機構を選択的に前進させるアクチュエータをさらに備えている、請求項１に記載の双極性電気外科手術用器具。
【請求項４】
前記スイッチは、前記第１の位置への前記スイッチの移動に応じて、第１の触覚応答を発生させ、前記少なくとも１つの後続位置への前記スイッチの移動に応じて、後続触覚応答を発生させる、請求項１に記載の双極性電気外科手術用器具。
【請求項５】
前記所望の圧力は、鉗子内に配置されている少なくとも１つの歪みゲージによって測定される、請求項１に記載の双極性電気外科手術用器具。
【請求項６】
前記スイッチの第１の位置は、前記固定ハンドルに対する前記可動ハンドルの初期閉鎖圧力に対応し、前記スイッチの少なくとも１つの後続位置は、前記初期閉鎖圧力より大きい、前記固定ハンドルに対する前記可動ハンドルの後続閉鎖圧力に対応する、請求項１に記載の双極性電気外科手術用器具。
【請求項７】
前記ジョー部材が前記第１の位置に配置されている場合、前記切断機構の往復運動を防止するように構成されている安全ロックアウトをさらに備えている、請求項１に記載の双極性電気外科手術用器具。
【請求項８】
前記ジョー部材の各々は、電気伝導性封止表面を含み、前記ジョー部材のうちの少なくとも１つは、前記電気伝導性封止表面上に配置されている少なくとも１つの非伝導性停止部材を含み、前記少なくとも１つの非伝導性停止部材は、組織が前記ジョー部材の間に保持されている場合、対向する電気伝導性封止表面間の距離を制御するように構成されている、請求項１に記載の双極性電気外科手術用器具。
【請求項９】
双極性電気外科手術用器具であって、
筐体と、
前記筐体から延びている細長いシャフトであって、前記細長いシャフトは、前記細長いシャフトの遠位端に連結されたエンドエフェクタを有する、細長いシャフトと、
前記筐体に動作可能に連結されているハンドルアセンブリであって、前記ハンドルアセンブリは、固定ハンドルに対して移動可能な可動ハンドルを含み、前記可動ハンドルは、ジョー部材が互に対して離間関係に配置されている第１の位置から、前記ジョー部材が前記ジョー部材の間に組織を把持するように協働する第２の位置に、互に対して前記ジョー部材の移動をもたらし、各ジョー部材は、電気外科手術用エネルギー源に接続するように構成され、前記ジョー部材は、前記ジョー部材の間に保持されている組織を通してエネルギーを選択的に伝導し、組織封止をもたらすように構成されている、ハンドルアセンブリと、
前記ジョー部材のうちの少なくとも１つの長さに沿って画定されているナイフチャネルと、
前記ナイフチャネルに沿って往復運動し、前記ジョー部材間に把持されている組織を切断するように構成されている切断機構と、
前記切断機構が前記ジョー部材間に把持されている組織の近位に配置されている第１の位置から、前記切断機構が前記ジョー部材間に把持されている組織の遠位に配置されている少なくとも１つの後続位置に前記切断機構を選択的に前進させるアクチュエータと、
前記固定ハンドル上に配置されているスイッチであって、前記スイッチは、前記可動ハンドル上に配置されているスイッチ係合表面との付勢係合に応じて、第１の位置と少なくとも１つの後続位置との間に押下されるように構成され、前記スイッチの第１の位置は、前記ジョー部材間に把持されている組織にかかる所望の圧力に対応する情報のユーザへの中継を生じさせ、前記少なくとも１つの後続位置は、電気外科手術用エネルギーを前記ジョー部材に供給する前記電気外科手術用エネルギー源を起動させるように構成されている、スイッチと
を備えている、双極性電気外科手術用器具。
【請求項１０】
前記スイッチの第１の位置は、前記固定ハンドルに対する前記可動ハンドルの初期閉鎖圧力に対応し、前記スイッチの少なくとも１つの後続位置は、前記初期閉鎖圧力より大きい、前記固定ハンドルに対する前記可動ハンドルの後続閉鎖圧力に対応する、請求項９に記載の双極性電気外科手術用器具。
【請求項１１】
前記ジョー部材が前記第１の位置に配置されている場合、前記切断機構の往復運動を防止するように構成されている安全ロックアウトをさらに備えている、請求項９に記載の双極性電気外科手術用器具。
【請求項１２】
前記スイッチは、前記第１の位置に対応する第１の触覚応答を発生させる、請求項９〜１１のいずれかに記載の双極性電気外科手術用器具。
【請求項１３】
前記スイッチは、前記少なくとも１つの後続位置に対応する第２の触覚応答を発生させる、請求項１２に記載の双極性電気外科手術用器具。
【手続補正２】
【補正対象書類名】明細書
【補正対象項目名】００２９
【補正方法】変更
【補正の内容】
【００２９】
以下の図面および説明において、用語「近位」は、従来通り、ユーザにより近い電気外科手術用器具の端部を指す一方、用語「遠位」は、ユーザからより遠い端部を指すであろう。
本願明細書は、例えば、以下の項目も提供する。
（項目１）
双極性電気外科手術用器具であって、
筐体と、
前記筐体から延びている細長いシャフトであって、前記細長いシャフトは、前記細長いシャフトの遠位端に連結されたエンドエフェクタを有する、細長いシャフトと、
前記筐体に動作可能に連結されているハンドルアセンブリであって、前記ハンドルアセンブリは、固定ハンドルに対して移動可能な可動ハンドルを含み、前記可動ハンドルは、ジョー部材が互に対して離間関係に配置されている第１の位置から、前記ジョー部材が前記ジョー部材の間に組織を把持するように協働する第２の位置に、互に対して前記ジョー部材の移動をもたらし、各ジョー部材は、電気外科手術用エネルギー源に接続するように構成され、前記ジョー部材は、前記ジョー部材の間に保持されている組織を通してエネルギーを選択的に伝導し、組織封止をもたらすように構成されている、ハンドルアセンブリと、
前記固定ハンドル上に配置されているスイッチであって、前記スイッチは、前記可動ハンドル上に配置されているスイッチ係合表面との付勢係合に応じて、第１の位置と少なくとも１つの後続位置との間に押下されるように構成され、前記スイッチの第１の位置は、前記ジョー部材間に把持されている組織にかかる所望の圧力に対応する情報の前記ユーザへの中継を生じさせ、前記少なくとも１つの後続位置は、電気外科手術用エネルギーを前記ジョー部材に供給する電気外科手術用エネルギー源を起動させるように構成されている、スイッチと
を備えている、双極性電気外科手術用器具。
（項目２）
前記ジョー部材のうちの少なくとも１つの長さに沿って画定されるナイフチャネルと、
前記ナイフチャネルに沿って往復運動し、前記ジョー部材間に把持されている組織を切断するように構成されている切断機構と
をさらに備えている、項目１に記載の双極性電気外科手術用鉗子。
（項目３）
前記切断機構が前記ジョー部材間に把持されている組織の近位に配置されている第１の位置から、前記切断機構が前記ジョー部材間に把持されている組織の遠位に配置されている少なくとも１つの後続位置に前記切断機構を選択的に前進させるアクチュエータをさらに備えている、項目１に記載の双極性電気外科手術用鉗子。
（項目４）
前記スイッチは、前記第１の位置への前記スイッチの移動に応じて、第１の触覚応答を発生させ、前記少なくとも１つの後続位置への前記スイッチの移動に応じて、後続触覚応答を発生させる、項目１に記載の双極性電気外科手術用鉗子。
（項目５）
前記所望の圧力は、前記鉗子内に配置されている少なくとも１つの歪みゲージによって測定される、項目１に記載の双極性電気外科手術用器具。
（項目６）
前記スイッチの第１の位置は、前記固定ハンドルに対する前記可動ハンドルの初期閉鎖圧力に対応し、前記スイッチの少なくとも１つの後続位置は、前記初期閉鎖圧力より大きい、前記固定ハンドルに対する前記可動ハンドルの後続閉鎖圧力に対応する、項目１に記載の双極性電気外科手術用鉗子。
（項目７）
前記ジョー部材が前記第１の位置に配置されている場合、前記切断機構の往復運動を防止するように構成されている安全ロックアウトをさらに備えている、項目１に記載の双極性電気外科手術用器具。
（項目８）
前記ジョー部材の各々は、電気伝導性封止表面を含み、前記ジョー部材のうちの少なくとも１つは、前記電気伝導性封止表面上に配置されている少なくとも１つの非伝導性停止部材を含み、前記少なくとも１つの非伝導性停止部材は、組織が前記ジョー部材の間に保持されている場合、対向する電気伝導性封止表面間の距離を制御するように構成されている、項目１に記載の双極性電気外科手術用器具。
（項目９）
双極性電気外科手術用器具であって、
筐体と、
前記筐体から延びている細長いシャフトであって、前記細長いシャフトは、前記細長いシャフトの遠位端に連結されたエンドエフェクタを有する、細長いシャフトと、
前記筐体に動作可能に連結されているハンドルアセンブリであって、前記ハンドルアセンブリは、固定ハンドルに対して移動可能な可動ハンドルを含み、前記可動ハンドルは、ジョー部材が互に対して離間関係に配置されている第１の位置から、前記ジョー部材が前記ジョー部材の間に組織を把持するように協働する第２の位置に、互に対して前記ジョー部材の移動をもたらし、各ジョー部材は、電気外科手術用エネルギー源に接続するように構成され、前記ジョー部材は、前記ジョー部材の間に保持されている組織を通してエネルギーを選択的に伝導し、組織封止をもたらすように構成されている、ハンドルアセンブリと、
前記ジョー部材のうちの少なくとも１つの長さに沿って画定されるナイフチャネルと、
前記ナイフチャネルに沿って往復運動し、前記ジョー部材間に把持されている組織を切断するように構成されている切断機構と、
前記切断機構が前記ジョー部材間に把持されている組織の近位に配置されている第１の位置から、前記切断機構が前記ジョー部材間に把持されている組織の遠位に配置されている少なくとも１つの後続位置に前記切断機構を選択的に前進させるアクチュエータと、
前記固定ハンドル上に配置されているスイッチであって、前記スイッチは、前記可動ハンドル上に配置されているスイッチ係合表面との付勢係合に応じて、第１の位置と少なくとも１つの後続位置との間に押下されるように構成され、前記スイッチの第１の位置は、前記ジョー部材間に把持されている組織にかかる所望の圧力に対応する情報の前記ユーザへの中継を生じさせ、前記少なくとも１つの後続位置は、電気外科手術用エネルギーを前記ジョー部材に供給する電気外科手術用エネルギー源を起動させるように構成されている、スイッチと
を備えている、双極性電気外科手術用器具。
（項目１０）
前記スイッチの第１の位置は、前記固定ハンドルに対する前記可動ハンドルの初期閉鎖圧力に対応し、前記スイッチの少なくとも１つの後続位置は、前記初期閉鎖圧力より大きい、前記固定ハンドルに対する前記可動ハンドルの後続閉鎖圧力に対応する、項目９に記載の双極性電気外科手術用鉗子。
（項目１１）
前記ジョー部材が前記第１の位置に配置されている場合、前記切断機構の往復運動を防止するように構成されている安全ロックアウトをさらに備えている、項目９に記載の双極性電気外科手術用器具。
（項目１２）
電気外科手術用手技を行なう方法であって、
双極性鉗子の第１のハンドルを第２のハンドルに対して移動させ、第１のジョー部材と第２のジョー部材との間に組織を把持するステップと、
前記第２のシャフトに対する前記第１のシャフトの第１の位置への移動時にスイッチを押下し、前記ジョー部材間に把持された組織に加えられている所定の把持圧力に対応する情報をユーザに中継するステップと、
前記スイッチを少なくとも１つの後続位置に押下し、電気外科手術用エネルギーを前記ジョー部材に供給する電気外科手術用エネルギー源を起動するステップと
を含む、方法。
（項目１３）
前記切断機構が前記ジョー部材間に把持された組織の近位に配置されている第１の位置から、前記切断機構が前記ジョー部材間に保持されている組織の遠位に配置されている少なくとも１つの後続位置に切断機構を選択的に前進させるステップをさらに含む、項目１２に記載の方法。
（項目１４）
前記第１の位置に対応する第１の触覚応答を発生させるステップをさらに含む、項目１２に記載の方法。
（項目１５）
前記少なくとも１つの後続位置に対応する第２の触覚応答を発生させるステップをさらに含む、項目１４に記載の方法。